(57)【要約】【課題】  蓄電池を設置するときに予め蓄電池検査用の配線工事を行う必要がなく、蓄電池への取付けが簡単容易で、測定用リード線との接続作業も容易な蓄電池用計測端子を提供すること。【解決手段】  本考案は、蓄電池に接続の被接続体、例えば接続ボルト２０の外形より小さい空間１５を有し、該空間１５の内側から外側に向けて複数の切り込み１３が設けられ、前記空間１５に前記接続ボルト２０を強制的に差し込んだ際、前記切り込み１３位置で内壁部分が突片状に切り起こされ、該切り起こされた突片１２が前記接続ボルト２０の側面に係合するように構成された枠体１１と、該枠体１１から突出する端子片３０とからなる。【選択図】        図１
0003106066.tif 000002
【実用新案登録請求の範囲】
【請求項１】
蓄電池の電極端子と電気的に接続する接続対象の被接続体の外形より小さい空間を有し、該空間の内側から外側に向けて複数の切り込みが設けられ、前記空間に前記被接続体を強制的に差し込んだ際、前記切り込みの位置で内壁部分が突片状に切り起こされ、該切り起こされた突片が前記被接続体の側面に係合するように構成された枠体と、該枠体から突出する端子片と、からなる蓄電池用計測端子。
【請求項２】
前記枠体が弾性を有する導電性機材で作成されている請求項１に記載の蓄電池用計測端子。
【考案の詳細な説明】
【技術分野】
【０００１】
本考案は、例えば蓄電池の電圧や内部抵抗を計測する際に使用する蓄電池用計測端子に関するものである。
【背景技術】
【０００２】
例えば非常用電源として使用する蓄電池は、個別の蓄電池が直列または／および並列に多数接続され、電源に並列接続されて使用されている。
図５は複数の蓄電池４０を直列に接続して電源（図省略）に対して並列に接続した状態を示すもので、各蓄電池４０の端子４１は接続ケーブル４２により接続されている。なお、接続ケーブル４２は端末に接続端子４３が取り付けられ、該接続端子４３が蓄電池４０の端子４１にボルト２０・ナット２１で接続されている。
この非常用電源としての蓄電池４０は該蓄電池４０が電源として稼動していないときでも原則として電源回路から切り離すことができない。一方、電源に接続されている蓄電池４０は、定期的、或いは不定期的（必要に応じて）に電圧や内部抵抗を計測し、非常用電源として使用しうる状態にあるか否かの検査を行う必要がある。
【０００３】
そこで従来は、個々の蓄電池の電極端子に予め計測端子を固定し、該計測端子にリード線を接続し、蓄電池を設置するときに配線工事を行い、以降の定期的、或いは不定期的な測定・検査作業に備えていた（特許文献１）。
【０００４】
従来の蓄電池用計測端子は、図５に示す接続ケーブル４２と電池端子４１との接続と同様に予めボルト・ナット等で蓄電池４０の電極端子４１に直接強固に固定する構造であった。
また、蓄電池用計測端子として、電極端子に接続された帯状導体に計測端子を挿入嵌合するものが提案されている（特許文献２）。
【特許文献１】特開2000-48798号公報
【特許文献２】特開2003-194848号公報
【考案の開示】
【考案が解決しようとする課題】
【０００５】
しかしながら上記のように、蓄電池の電極端子に予め計測端子を固定する方法は、蓄電池を新規に設置するときには都合が良いも、既に設置されている蓄電池に計測端子を設けようとする場合には、この方法は採用し得ない問題があった。
【０００６】
そこで蓄電池を設置するときに予め蓄電池検査用の配線工事を行わず、必要なときに畜電池の電極端子にリード線を電気的に接続して測定作業を実施しうる提案が望まれていた。
【０００７】
しかし従来の計測端子は、ボルト・ナット等で蓄電池に固定する構造であり、蓄電池に接続する作業が非常に面倒であるという問題があった。
また、蓄電池用計測端子を帯状導体に設ける構造のものが提案されているが、この構造の計測端子は蓄電池間の接続に帯状導体を用いている場合は良いが接続ケーブルで接続されている場合は計測端子を接続できないという問題があった。
【課題を解決するための手段】
【０００８】
本考案は、上記課題を解決した蓄電池用計測端子を提供するもので、本考案の蓄電池用計測端子は、蓄電池の電気的に接続する接続対象の被接続体の外形より小さい空間を有し、該空間の内側から外側に向けて複数の切り込みが設けられ、前記空間に前記被接続体を強制的に差し込んだ際、前記切り込みの位置で内壁部分が突片状に切り起こされ、該切り起こされた突片が前記被接続体の側面に係合するように構成された枠体と、該枠体から突出する端子片とからなる。なお、枠体は弾性を有する導電性機材で作成されていることが好ましい。
【考案の効果】
【０００９】
上記のように、本考案に係る蓄電池用計測端子は、蓄電池の電極端子に枠体の空間部分を強制的に被せて突片を切り起こし、該突片で枠体と電極端子とを機械的および電気的に接続するので、両者を簡単に接続することができ、また、枠体から突出する端子片にリード線を容易に電気的に接続でき、定期的あるいは不定期的検査に即座に対応できる効果がある。
【考案を実施するための最良の形態】
【００１０】
以下本考案を図面を参照して詳細に説明する。
図１は本考案の一実施形態を示す平面図、図２はその正面図、図３はその使用状態の説
明図、図４は図３の正面図である。
本実施形態の計測端子１は、導電機材、例えば銅板、アルミニウム板、ステンレス板、リン青銅等を、枠状に形成した枠体１１と、該枠体１１の一部に設けられ、枠体１１と電気的に導通する端子片３０とで構成されている。
なお、前記枠体１１は特にバネ性を有するステンレス板、リン青銅等の弾性導電機材で形成することが好ましい。
【００１１】
前記枠体１１は次のようにして作成されている。即ち、板状の導電機材の中心に、これが接続される接続対象である被接続体、例えば図５に示す蓄電池４０の電極端子４１、電極端子４１に接続の接続ボルト２０或いはナット２１の外形よりやや小さ目の空間１５を開口する。本実施形態では被接続体として接続ボルト２０を対象とし、空間１５の開口の大きさは接続ボルト２０の頭部の外形よりやや小さめに開けられている。
次ぎに、該空間から外側に複数の切り込み１３を入れる。切り込み１３の長さは、該空間の中心を前記接続ボルト２０の中心に合わせた状態で切り込みの先端が接続ボルトの外形より少し超える程度の長さとする。また、枠体１１の外形は特に限定しないが、被接続体の外形に合わせた形状にすることが、外観上好ましい。なお、枠体１１は切り込み１３と共に導電基材をプレスで打ち抜くことで作成することも可能である。
【００１２】
このような枠体１１を蓄電池の電極端子４１に取り付けるには、図３、４に示すように、枠体１１の空間１５の中心を蓄電池の電極端子４１に取り付けられている接続ボルト２０（図５参照）の中心に合わせた状態で強制的に枠体１１を接続ボルト２０の頭部に向けて押し込む。枠体１１を接続ボルト２０の頭部に強制的に押し込むことにより、枠体１１の空間１５方向端部が切り込み１３にしたがって切り起こされ、空間端部が接続のボルト２０の頭部の側面に食い込むようにして挿入され、接続ボルト２０に係合する。係合した状態は図４に示すように切り起こし片（突片）１２が接続ボルト２０の上方に向かって上を向くように切り起こされている。したがって、枠体１１を接続ボルト２０から抜こうとした際、切り起こし片１２が接続ボルト２０の側面に食い込むように働き、枠体１１が接続ボルト２０から抜けるのを防止する。
このように枠体１１と接続ボルト２０とを固定することにより、導電機材からなる枠体１１を介して端子片３０が接続ボルト２０と電気的に接続される。
蓄電池の検査時には、枠体１１を介して接続ボルト２０と電気的に接続されている端子片３０に測定用のリード線（不図示）を接続することで蓄電池の性能を検査することができる。
【００１３】
本実施形態は図示するように蓄電池の電極端子４１に接続の六角形の頭部を有する接続ボルト２０であり、空間を六角形に空け、六角形の６つの頂点に切り込みを設けたが、空間の形状、切り込みの個数は枠体１１を被接続体に差込む力と、枠体１１が被接続体からの抜け難さ、とで適宜設計することができる。
また、上記実施形態では蓄電池の電極端子４１に接続の接続ボルト２０の六角形の頭部に枠体１１を装着したが、枠体１１を装着するのはナット側でも良く、また、枠体の空間を蓄電池の電極端子４１の形状に合わせ、蓄電池４０の電極端子４１に直接装着してもいいことは勿論である。
【００１４】
端子片３０と図示しないリード線との接続は、端子片３０を雄型端子とし、リード線に雌型端子を取り付けて差し込み式（ソケット式）にするか、その逆に端子片を雌型とし、リード線に接続の端子を雄型とし、差し込む構成（ソケット構成）とすると、リード線と計測端子との接続、取り外しが容易となる。このように、両者を雄・雌接合することにより、リード線を計測端子にハンダ付けする場合に比べ、リード線を簡単に着脱することができ好ましい。なお、端子片３０とリード線の端子を接続した際、両者の抜けを防止するために両者に嵌合部を設けておくことが好ましい。
また、前記実施形態では計測端子１を接続ボルト２０に取り付けた後にリード線を接続したが、計測端子１にリード線を接続した後に計測端子１を接続ボルト２０に取り付けることもできる。
【００１５】
本考案において、端子片３０を設ける位置やその数およびその形状は特に限定するものではない。例えば、端子片３０の数は複数でもよい。更に端子片３０は枠体１１を構成する導電機材の一部を切起こして形成してもよい。
【００１６】
上記のように、本考案に係る計測端子１は、その枠体１１を簡単に接続対象である接続ボルト、ナット、或いは電極端子に取付けることができ、また枠体１１と接続ボルト２０等とは切り起こし片１２で接続されるので、計測端子１と電極端子４１を機械的および電気的に接続することができる。
【００１７】
更に本考案に係る計測端子１は、枠体１１に端子片３０が突設されているので、該端子片３０を利用してリード線を簡単に接続することができる。
【図面の簡単な説明】
【００１８】
【図１】本考案に係る計測端子の一実施形態を示す平面図。
【図２】図１に示す計測端子の正面図。
【図３】本考案に係る計測端子の使用状態の説明図。
【図４】図３に示す計測端子の使用状態の側面図。
【図５】図５は複数の蓄電池を直列に接続した状態を示す正面図である。
【符号の説明】
【００１９】
１  計測端子
１１  枠体
１２  切り起し片
１３  切り込み
２０  接続ボルト
２１  ナット
３０  端子片
４０  蓄電池
４１  電極端子
４２  接続ケーブル
【図１】
0003106066.tif 000003
【図２】
0003106066.tif 000004
【図３】
0003106066.tif 000005
【図４】
0003106066.tif 000006
【図５】
0003106066.tif 000007